(57)【特許請求の範囲】
【請求項１】
地盤上に建設された建築物であって、前記地盤を所定深さに掘削し原塩を散布した穴部の底に、セラミックスと炭素の混合体を敷設して形成した基礎層に天然礎石を配置し、該天然礎石上に尖った先端が床下に達する長さの地中柱を立設させると共に、前記天然礎石上の前記地中柱の下端部に水晶体を挿入状態で配置し、前記地中柱の周囲にセラミックス、炭素の混合体を配設して前記穴部に地中柱を埋設していることを特徴とする建築物。
【請求項２】
床材を解体撤去して露出させた地盤に、前記地中柱を埋設する穴部を掘削していることを特徴とする請求項１に記載の建築物。
【請求項３】
前記穴部が地盤内の農薬層に達しているときに、前記地中柱を埋設するときに、前記農薬層の深さの位置に、炭素、強化セラミックスの混合体を重点的に敷設して補強層を形成していることを特徴とする請求項１又は請求項２に記載の建築物。
【請求項４】
前記穴部の周囲の地盤上に盛土層、砕石層、土間コンクリート層および遠赤外線蓄熱層を形成し、遠赤外線蓄熱層上に床材を敷設するときに、前記地盤、前記盛土層及び前記砕石層にセラミックス、炭素の混合体を敷設し、前記土間コンクリート層と前記遠赤外線蓄熱層の間に断熱層を形成すると共に、前記遠赤外線蓄熱層に加熱手段を配設して、土間コンクリート層及び遠赤外線蓄熱層にセラミックス、炭素の混合体を混入させたコンクリートないしモルタルを打設していることを特徴とする請求項１から請求項３の何れかに記載の建築物。
【請求項５】
前記穴部を前記盛り土層まで延設するようにセラミックス、炭素の混合体を混入して埋め戻すと共に、前記砕石層、前記土間コンクリート層、前記断熱層及び前記遠赤外線蓄熱層を貫通するように前記穴部よりセラミックス、炭素の混合体の比率を大きくした土砂を充填した呼吸穴部を形成していることを特徴とする請求項４に記載の建築物。
【発明の詳細な説明】
【０００１】
【発明の属する技術分野】
本発明は、健康増進を図るための建築物に関する。
【０００２】
【従来の技術】
近年、大気汚染、水質汚染及び農薬等の薬剤による生活環境の悪化が問題となっており、生活環境の改善や健康増進を目的とする住宅や建築物の提案がなされている。
【０００３】
例えば、特許第２７７４７８７号では、先端が尖った大黒柱の下端部の周囲にセラミックスと炭素の混合体を敷設して埋設した住宅を提案している。この住宅は、住宅内に突出した天然炭素質体である大黒柱の先端部を尖らせることにより空気中の電気エネルギーを集中させるようにし、地中に埋設されている大黒柱の下端部に水晶体を挿入配置することにより、先端部に集中させた電気エネルギーを地中内の下端部に流すことにより、磁気エネルギーを強化させるようにしている。
【０００４】
これにより、住宅内では、電気エネルギー及び磁気エネルギーと、セラミックス及び炭素から放出される遠赤外線の相乗効果によって身体機能の活性効果が得られるようにしている。
【０００５】
また、このような住宅は、遠赤外線による身体機能の活性化に加え防湿及び浄化効果を有することから、生活環境を損ねることなく耐久性の向上が図られる。
【０００６】
【発明が解決しようとする課題】
しかしながら、大黒柱は、床下から住宅の屋根に達する長さとなっており、このような大黒柱の設置は、住宅の新改築や改修コストの上昇をまねくことになり、低コスト化が望まれている。
【０００７】
本発明は上記事実に鑑みてなされたものであり、低コストで健康増進を図ることができる住宅等の建築物を提案することを目的とする。
【０００８】
【課題を解決するための手段】
上記目的を達成するための本発明は、地盤上に建設された建築物であって、前記地盤を所定深さに掘削し原塩を散布した穴部の底に、セラミックスと炭素の混合体を敷設して形成した基礎層に天然礎石を配置し、該天然礎石上に尖った先端が床下に達する長さの地中柱を立設させると共に、前記天然礎石上の前記地中柱の下端部に水晶体を挿入状態で配置し、前記地中柱の周囲にセラミックス、炭素の混合体を配設して前記穴部に地中柱を埋設していることを特徴とする。
【０００９】
この発明によれば、床下となる地盤に所定深さの穴部を掘削して、この穴部に天然炭素質体である地中柱を立てて埋設する。このとき、穴部の底には、多量の原塩を散布してマイナスイオン化を図った後に、セラミックスと炭素の混合体を敷設して基礎層を形成し、この基礎層に天然礎石を配置して、地中柱の基礎とする。
【００１０】
また、天然礎石上に地中柱を立てて、この地中柱の周囲に天然セラミックスと炭素の混合体（セラミックス炭素等）を混入した土砂で埋め戻す。このとき、さらに原塩を混入させるようにしても良い。また、天然礎石上の地中柱の下部には水晶体を収納させる。
【００１１】
このようにして床下に地中柱を埋設することにより、地中柱の先端に空気中の電気エネルギーが集められ、水晶体を下部に収納していることにより、この電気エネルギーが地中柱の下端部に流れ、大地の磁気エネルギーが強化される。また、地中柱の周囲に天然セラミックスと炭素の混合体を配設することにより、遠赤外線が放出される。また、天然セラミックスは陰性遠赤外線を放出し、炭素体は陽性遠赤外線を放出する。
【００１２】
したがって、床下に地中柱が設置されている室内では、セラミックス炭素から放出される陰陽遠赤外線に加え、生体電気エネルギーと生体磁気エネルギーによる細胞を構成する生体電子の活性化によって、身体機能が活性化されて健康増進が図られる。
【００１３】
すなわち、住宅内の一室で、集中的な身体機能の活性化を図るようにすることにより、低コスト化が可能となる。
【００１４】
このような本発明では、床材を解体撤去して露出させた地盤に、前記地中柱を埋設する穴部を掘削することにより、新築や改築のみでなく、既存の住宅であっても健康増進を図ることができる。
【００１５】
また、請求項３の発明は、前記穴部が地盤内の農薬層に達しているときに、前記地中柱を埋設するときに、前記農薬層の深さの位置に、炭素、強化セラミックスの混合体を重点的に敷設して補強層を形成していることを特徴とする。
【００１６】
地盤中には、農薬等の薬剤成分を含んだ層（農薬層とする）が形成されていることがあり、穴部を掘削したときに農薬層が出たときには、穴部を埋め戻すときに、この農薬層に対向する位置に多量の炭素と強化セラミックスを用いて補強層を形成して、地盤及び地中柱の周囲の浄化を図る。なお、農薬層がないときには、穴部の上端部に補強層を形成するようにしても良い。
【００１７】
請求項４に係る発明は、前記穴部の周囲の地盤上に盛土層、砕石層、土間コンクリート層および遠赤外線蓄熱層を形成し、遠赤外線蓄熱層上に床材を敷設するときに、前記地盤、前記盛土層及び前記砕石層にセラミックス、炭素の混合体を敷設し、前記土間コンクリート層と前記遠赤外線蓄熱層の間に断熱層を形成すると共に、前記遠赤外線蓄熱層に加熱手段を配設して、土間コンクリート層及び遠赤外線蓄熱層にセラミックス、炭素の混合体を混入させたコンクリートないしモルタルを打設していることを特徴とする。
【００１８】
この発明によれば、地盤上に盛り土層、砕石層、土間コンクリート層及び遠赤外線蓄熱層を形成する。このとき、地盤、盛り土層及び砕石層に天然セラミックスと炭素の混合体を敷設し、土間コンクリート層及び遠赤外線蓄熱層には、セラミックス炭素の混合体を混入したコンクリートないしモルタルを打設する。また、土間コンクリート層と遠赤外線蓄熱層の間に断熱層を形成し、遠赤外線蓄熱層には加熱手段を設ける。
【００１９】
断熱層は地盤側からの冷気が室内に入り込むのを防止し、加熱手段は、床下に多量に用いたセラミックス炭素を加熱する。セラミックス炭素は、加熱されることにより多量の遠赤外線を放出する。
【００２０】
これにより、遠赤外線による室内の空気の除湿及び浄化の向上に加え、地盤や住宅の構造物の除湿及び浄化が図られ、健康増進の更なる向上と住宅の耐久性の向上が図られる。
【００２１】
このような本発明では、前記穴部を前記盛り土層まで延設するようにセラミックス、炭素の混合体を混入して埋め戻すと共に、前記砕石層、前記土間コンクリート層、前記断熱層及び前記遠赤外線蓄熱層を貫通するように前記穴部より質量の大きいセラミックス、炭素を充填した呼吸穴部を形成する。
【００２２】
これにより、地中の磁場エネルギーの室内との交流を図ることができる。
【００２３】
【発明の実施の形態】
以下、図面を参照して本発明の実施の形態の一例を詳細に説明する。図１には、建築物である住宅１０の要部の概略構成を示している。本実施の形態では、この住宅１０の一室に本発明を適用して活性化ルーム１２を形成する。
【００２４】
なお、本実施の形態では、一例として活性化ルーム１２としては、９ｍ2〜１６ｍ2（約４．５帖〜約１０帖）程度の広さとして説明するが、本発明を適用する建築物の部屋の広さはこれに限るものではない。
【００２５】
また、本実施の形態では、布基礎１４等の基礎上に土台１６を配置して建設した所謂木造住宅を例に説明するが、本発明を適用する建築物としては、木造住宅に限らず、鉄骨構造の建築物であっても良く、鉄筋コンクリート造りの建築物であっても良く、さらにプレハブ造り等の任意の構造の建築物に適用することができる。
【００２６】
さらに、本発明は、新築や改築のみでなく、既存の住宅を改修することにより活性化ルーム１２を作成するものであっても良い。すなわち、既存の住宅１０Ａを改修する場合、例えば、図２に示すように、布基礎１４等の基礎や土台１６などの構造体を残して床材等を解体撤去して、地盤１８を露出させれば良い。
【００２７】
このように、新改築又は床材等の解体撤去によって、活性化ルーム１２を形成する地盤１８を露出させた状態とする。この状態で、先ず、活性化ルーム１２の地盤１８の略中央部に、手掘りで穴部となる柱穴２０を掘る。この柱穴２０としては、直径が約１．０ｍ程度で、深さが約1.３ｍ程度となるようにする。このとき、農薬層２２があるときには、農薬層２２の位置を確認する。
【００２８】
なお、穴掘りは、正確にかつ掘り上がりが綺麗になるように行うことが好ましく、さらに、穴底２４は、掘り込まずにすきとり仕上げとし、かつ、かど（コーナー）にけじめをつけるようにすることが好ましい。
【００２９】
このようにして柱穴２０を掘り終わると、この柱穴２０の底部２４に木酢液又は竹酢液と原塩に加え、天然セラミックスと粒状の炭素体の混合体（セラミックス炭素）を撒き、底部２４の浄化還元を行い、水締め等によって底部２４を強固にする。なお、直径が約１．０ｍの柱穴２０では、約１４ｌ（リットル）の木酢液又は竹酢液、約２５ｋｇの原塩を用いる。また、粒状のセラミックス炭素は、約６０ｋｇ程度を使用する。
【００３０】
このようにして浄化還元した柱穴２０の底部２４上には、図１に示すように、セラミックス炭素、粒状及び丸炭の備長炭６０及び強化セラミックスに加えて、ゲルマニュウムを含む竹炭６２を敷設して、基礎層３０を形成し、この基礎層３０内には、底部２４の略中央部となる位置に、地中柱２６を立てるための天然の礎石２８を配置する。この礎石２８としては、湖岸や川原で採取されるものを用いることができる。このとき、基礎層３０は、例えば、約２０ｋｇのセラミックス、約２０ｋｇの粒状の備長炭、約２０ｋｇの丸炭６２（備長炭）及び約１４ｋｇの竹炭６２を用いる。また、これらは、水締めを行いながら敷設する。
【００３１】
礎石２８上に立てる地中柱２６は、外径が約０．２ｍ（２０ｃｍ）程度で、先端が柱穴２０（地盤１８）から僅かに突出する程度の長さ（例えば約１．０ｍ程度）で未乾燥の木材を用い、先端部２６Ａを正六角錘形状に削る。
【００３２】
この地中柱２６を礎石２８上に立てるときには、礎石２８に載せる地中柱２６の下端部２６Ｂに、水晶体として直径が約４７ｃｍ前後の水晶球３２を収める。この水晶球３２は、水晶の発振作用を用いて、生体電磁気エネルギー（電気エネルギー及び磁気エネルギー）の共振増幅効果を得るのに用いる。なお、地中柱２６は、未乾燥の木材を使用するが、下端部２６Ｂの表面をバーナー等によって軽く焼いて炭化させるようにしても良い。
【００３３】
このようにして礎石２８、水晶球３２及び地中柱２６の設置を行うと、柱穴２０を多量のセラミックス炭素と原塩を層状に敷設して埋設する。このときに、例えば約８０ｋｇ程度の天然セラミックスと炭素体（セラミックス炭素）を水締めしながら敷設した上に、約１０ｋｇ程度の原塩を敷設し、さらに、厚さが約２〜３cm程度となるように砕石を敷詰める。このようにして、セラミックス炭素、原塩及び砕石のそれぞれを層状に敷設した中間層６４を形成する。
【００３４】
ここで、地盤１８中に農薬層２２があるときには、この農薬層２２のレベルに合わせた位置に、補強層３４を形成する。この補強層３４には、約２０ｋｇ程度の粒状の備長炭（粒炭）を敷設した上に、約１ｋｇ程度の強化セラミックスを敷設し、さらに、約１４ｋｇ程度の竹炭６２を水締めしながら敷設する。この上に、約２０ｋｇ程度の天然セラミックス、約２５〜５０ｋｇの原塩、約４５ｋｇ〜５０程度の粉末状のセラミックス炭素をそれぞれ水締めしながら順に敷設し、さらに、厚さが、約２〜３ｃｍ程度をなるように砂を水締めしながら敷詰める。
【００３５】
これにより、備長炭の粒炭、強化セラミックス、竹炭６２、備長炭の丸炭６０、天然セラミックス、原塩、粉末状のセラミックス炭素及び砂のそれぞれが順に層を成した補強層３４が形成される。このとき、柱穴２０の壁面に露出する農薬層２２に対して、約５ｌ程度の木酢液又は竹酢液を散布するなどして浄化させる。
【００３６】
このように、農薬層２２に対向する位置に多量のセラミックス及び炭素を敷設した補強層３４を設けることにより、農薬層２２に対する浄化と活性化が図られる。なお、地盤１８中に農薬層２２がない場合には、柱穴２０の上部に補強層３４を形成する。
【００３７】
このようにして柱穴２０への地中柱２６の埋設が終了すると、住宅１０の地盤１８の表面及びコンクリートによって形成している布基礎１４の表面に洗浄液を散布する。この洗浄液としては、約１０ｌ程度の木酢液又は竹酢液を適量の水で割って用い、さらに、原塩及びセラミックス炭素をそれぞれ１００ｋｇ〜２００ｋｇ程度を散布し、地盤１８及び布基礎１４の浄化還元して、活性化させる。
【００３８】
この後、地盤面（地盤１８の表面）上に、水締めを行いながら盛土層３６と砕石層３８を形成する。この盛土層３６及び砕石層３８の表面には、それぞれ約１２０ｋｇ程度のセラミックス炭素を敷設する。また、盛土層３６を形成するときには、例えば活性化ルーム１２の四隅となる位置などの所定の位置に水晶球５６を埋設する。この水晶球５６は、地中柱２６及び地中柱２６内の水晶球３２によって活性化させた磁場のエネルギーを、活性化ルーム１２の床下全体に共振誘導させる効果を有する。
【００３９】
なお、盛土層３６は、柱穴２０の回りに形成し、柱穴２０が盛土層３６に達するように形成する。また、砕石層３８は、地中柱２６を中心にして、後に、呼吸穴４０を形成するために、地中柱２６より僅かに大きい開口を形成するように、砕石を敷詰める。
【００４０】
このようにして形成した砕石層３８上には、土間コンクリート層４２を形成する。この土間コンクリート層４２は、粉末のセラミックス炭素（セラミックスと炭素の混合体）を混入したコンクリートを打設し、厚さが約１００ｍｍ程度（土台１６の上端に達する程度）となるよう形成する。このときのセラミックス炭素の量は、約１２０ｋｇ程度を用いる。また、この土間コンクリート層４２も、呼吸穴４０に相当する位置を除くようにコンクリートを打設する。
【００４１】
この土間コンクリート層４２上には、遠赤外線蓄熱層４４を形成する。遠赤外線蓄熱層４４は、土間コンクリート層４２上に、厚さ約３０ｍｍ程度の断熱材を敷詰めて断熱層４６を形成し、この断熱層４６上に防湿シート４８を敷いて、厚さが１００〜１５０ｍｍ程度となるように、多量のセラミックス、炭素を混入したモルタルを打設して形成する。このときの、モルタルには、約１８０kg程度の粉末のセラミックス炭素、約１ｋｇ程度の強化セラミックス及び約２０kg程度の粒状の備長炭を遠赤外線の放出源として混入する。また、モルタルの打設に先だって、土台１６側には、遠赤外線竹熱層４４の熱膨張に対するために、例えば厚さ１０mm程度の断熱材を用いて断熱層４６Ａを形成し、断熱層４６、４６Ａによって遠赤外線蓄熱層４４（活性化ルーム１２の床下）への冷気の進入を遮断する。
【００４２】
この遠赤外線蓄熱層４４内には、加熱手段として遠赤外線ヒータ５０を敷設する。なお、加熱手段としては、赤外線ヒータ５０に替えて温水が循環される温水配管を敷設するようにしても良い。また、コンクリートないしモルタルを打設するときには、例えば断熱材等を用いて呼吸穴４０を形成するための枠体５２を配置する。この枠体５２は、地中柱２６の外径よりも僅かに大きい大きさ（例えば４００ｍｍ角程度）としている。
【００４３】
この枠体５２によって形成された開口内には、多量のセラミックス及び炭素体（粒状の備長炭、竹炭、粒状のセラミックス炭素及び強化セラミックス）を詰め込んで、呼吸穴４０を形成する。
【００４４】
また、遠赤外線蓄熱層４４上は、畳又は天然木を用いたフローリング等の仕上げ材５４を敷設し、活性化ルーム１２の床を仕上げる。
【００４５】
このようにして住宅１０に形成した活性化ルーム１２では、地盤１８を浄化還元して、活性化処理を施しているため、雑菌、カビ、白蟻等の駆除及び発生防止ができる。
【００４６】
また、地盤１８、盛土層３６砕石層３８上のそれぞれには、セラミックス及び炭素体を敷設し、また、土間コンクリート層４２は、セラミックス及び炭素体を混入したコンクリートを打設して形成している。これらのセラミックス及び炭素が遠赤外線を放出することにより、住宅１０は、地盤１８は勿論、布基礎１４は土台１６等の構造物が、遠赤外線によって防湿されるので耐久性の向上が図られる。すなわち、新築や改築では勿論、既存の住宅１０（１０Ａ）であっても耐久性の向上を図ることができる。
【００４７】
一方、この活性化ルーム１２では、土間コンクリート層４２と遠赤外線蓄熱層４４との間に断熱層４６を設けており、これにより、外気温度が低下しても床下からの冷気の上昇を防止するようにしている。また、遠赤外線蓄熱層４４内には、赤外線ヒータ５０を設けており、この赤外線ヒータ５０によって遠赤外線蓄熱層４４が内部から加熱される。
【００４８】
赤外線ヒータ５０によって加熱される遠赤外線蓄熱層４４内には、セラミックスと炭素体を多量に混入しており、このセラミックス及び炭素体は、加熱されることにより遠赤外線の放出を促進する。この遠赤外線は、断熱層４６を透過するので、土間コンクリート層４２内のセラミックス及び炭素体からは勿論、地盤１８、盛土層３６及び砕石層３８に敷設されているセラミックス及び炭素体からの遠赤外線の放出が促進される。これにより、住宅１０の構造体の効率的な耐久性向上が図られる。
【００４９】
一方、遠赤外線蓄熱層４４は、活性化ルーム１２内へ多量の遠赤外線を放出する。また、遠赤外線が断熱層４６を透過することから、土間コンクリート層４２等からも活性化ルーム１２内に遠赤外線を放出する。
【００５０】
このとき、天然セラミックス等のセラミックスは、陰性遠赤外線を放出し、備長炭や竹炭等の炭素体は、陽性遠赤外線を放出する。したがって、活性化ルーム１２内は、陰性遠赤外線と陽性遠赤外線がバランス良く放出されて、除湿と共に浄化が図られる。
【００５１】
このような活性化ルーム１２内では、遠赤外線によって室内の空気が加熱されるので、遠赤外線による暖房効果が得られ、暖房効率の向上が図られる。また、遠赤外線は、空気を加熱することにより除湿を図るため、室温が高くとも高い爽快感が得られる。
【００５２】
これにより、外気温度が高く、従来は冷房を必要とする気象環境下においても、活性化ルーム１２内は、冷房を必要と感じることはない。すなわち、活性化ルーム１２内では、室外が冷房を必要と感じる環境下であっても、冷房の必要と感じることがなく、冷房時の空調効率の向上を図ることが可能となる。
【００５３】
ところで、住宅１０には、活性化ルーム１２の床下に、地中柱２６を埋設している。この地中柱２６は、先端部２６Ａが呼吸穴４０を介して活性化ルーム１２内へ向けられ、かつ、先端部２６Ａが尖っている。これにより、大気中の生体電気エネルギーを活性化ルーム１２に集め強化するようにしている。
【００５４】
このとき、地中柱２６の先端部２６Ａ側には、土間コンクリート層４２、断熱層４６及び遠赤外線蓄熱層４２を設けずに、多量のセラミックスと炭素体を埋設して呼吸穴４０を形成しているために、地中柱２６の尖った先端部２６Ａに空気中の電気エネルギーが集められるのを妨げられてしまうことがない。
【００５５】
一方、礎石２８上の地中柱２６の下端部２６Ｂには、水晶球３２を収納させており、この水晶球３２の発振増幅作用によって生体電気エネルギーが地中柱２６を下端部２６Ｂへ向けて流し、地中柱２６の下端部の電位を上昇させる。
【００５６】
また、地盤１８中では、地中柱２６の下端部２６Ｂの電位上昇によって磁気エネルギーが上昇し、地中柱２６の下端部２６Ｂに集められ、地中柱２６に沿って活性化ルーム１２へ向けて流れる。
【００５７】
すなわち、活性化ルーム１２の床下に地中柱２６を埋設することにより、空気中の電気エネルギーと地盤１８中の磁気エネルギーが共振増幅して活性化ルーム１２内に集められる。
【００５８】
このとき、地中柱２６の周囲をセラミックスと炭素体によって埋め戻していることにより、地中柱２６に沿って流れる電気エネルギーと磁気エネルギーが、セラミックスと炭素体からの遠赤外線の放出を促進し、活性化ルーム１２内にさらに遠赤外線が放出される。
【００５９】
また、地盤１８中の農薬層２２に対向する位置に、天然セラミックスと炭素体を多量に敷設した補強層を設けることにより、多量の遠赤外線を放出させて、浄化還元を図ることができ、農薬層２２中に含まれる薬剤成分（農薬成分）により生活環境が低下してしまうのを防止することができる。
【００６０】
一方、セラミックスは陰性遠赤外線を放出し、炭素体は陽性遠赤外線を放出することが知られている。これらの陰陽遠赤外線は、生体内の細胞を構成する原子のマイナスイオン化を促進させる。
【００６１】
したがって、活性化ルーム１２内では、陰陽遠赤外線エネルギーによって生体のイオンバランスが図られ、体温の上昇と生体機能の活性化が促進される。
【００６２】
このような活性化ルーム１２内では、生体機能の活性化が得られることにより、健康の増進が図られると共に、生体の機能回復による病理等の治癒効果が得られ、活性化ルーム１２内で生活したり滞在することにより身体機能が促進されて、病理の自然的治癒が可能となる。
【００６３】
すなわち、浄化還元られると共に、陰陽遠赤外線及び大気中の電気エネルギーと地中の磁気エネルギーが集められた活性化ルーム１２内で生活することにより、生体のイオン効果によるストレス解消、鎮痛、安眠効果、血行促進、血圧の安定化、体温向上等の身体機能の増進による効果が得られ、傷や病理の治癒が促進される。
【００６４】
このような身体機能を活性化させる効果が得られる活性化ルーム１２は、地中から建物内に突設する大黒柱を設置するまでもなく、住宅１０の一部に形成することができるため、大黒柱を設置する場合に比べて低コスト化を図ることができる。
【００６５】
また、地中柱２６は、地盤１８に手掘りによって掘削した柱穴２０に立てて床下に埋めるために、既存の住宅１０を立て替えることなく設置することが可能となる。すなわち、既存の住宅であっても低コストでかつ短期間に身体機能の活性化が可能となる活性化ルーム１２を設置することができる。
【００６６】
すなわち、床下に地中柱２６を埋設すると共に多量のセラミックス、炭素体を敷設することにより、住宅１０の一部で集中させて効率的な身体機能の活性化を図るようにする。これにより、低コスト化と共に設置工事の短縮化を図ることができる。
【００６７】
なお、以上説明した本実施の形態は、本発明の構成を限定するものではない。例えば、本実施の形態で示した天然セラミックスや種々の炭素体の量は、一例を示すものであり、適用量を限定するものではない。
【００６８】
また、本実施の形態では、木造建築である住宅１０を用いて説明したが、前記した如く本発明は、木造建築に限らず、鉄骨構造や鉄筋コンクリート造りの住宅であっても良く、さらにプレハブ造り等の任意の構造の住宅に適用することができる。また、本実施の形態では、住宅１０を例に説明したが、本発明は、住宅に限らず、人が滞在や生活可能な居室等の空間を備えたものであれば、任意の構成の建築物に適用することができる。
【００６９】
【発明の効果】
以上説明したように本発明によれば、先端が尖った地中柱を床下に埋設すると共に、床下に多量のセラミックスと炭素の混合体を埋設することにより、身体機能を活性化して健康増進を図ることができる居室を低コストで形成することができる。
【００７０】
また、セラミックス及び炭素体を加熱する手段を設けることにより、遠赤外線の放出を促進し、より一層の身体機能の活性化が可能となるという優れた効果が得られる。
【図面の簡単な説明】
【図１】本実施の形態に適用した住宅の要部を示す概略構成図である。
【図２】既存の床等を解体撤去した状態を示す住宅の要部を示す概略構成図である。
【符号の説明】
１０    住宅（建築物）
１２    活性化ルーム
１８    地盤
２０    柱穴（穴部）
２２    農薬層
２６    地中柱
２８    礎石（天然礎石）
３０    基礎層
３２    水晶球
３４    補強層
３６    盛土層
３８    砕石層
４０    呼吸穴（呼吸穴部）
４２    土間コンクリート層
４４    遠赤外線蓄熱層
４６、４６Ａ    断熱層
５０    赤外線ヒータ（加熱手段）
【図１】
0004323083.tif 000002
【図２】
0004323083.tif 000003